(57)【要約】【課題】各種画像特殊効果の照明効果を実行でき、小型化できる画像特殊効果装置を提供する。【解決手段】入力された画像に関する画像情報には平面および曲面を有する面において任意の視点から見た場合の光源からの光による照明効果が付加され、面に画像情報をマッピングさせて得られる映像信号を出力する画像特殊効果装置１００であって、視点方向ベクトルと法線ベクトルとのなす角度の余弦値を算出する余弦値計算部４と、余弦値を視点方向の成分、角度の（1−余弦値）または（−１＋余弦値）を水平方向座標の成分とするベクトルを計算用法線ベクトルとして算出する法線ベクトル計算部７と、計算用法線ベクトルに基づいて、照明効果を算出する照明効果計算部とを有する。【選択図】図１
2008040549.tif 000002
【特許請求の範囲】
【請求項１】
入力された画像に関する画像情報には平面および曲面を有する面において任意の視点から見た場合の光源からの光による照明効果が付加され、前記面に前記画像情報をマッピングさせて得られる映像信号を出力する画像特殊効果装置であって、
前記視点の方向のベクトルを示す視点方向ベクトルと、前記面の水平方向座標および垂直方向座標の位置ならびに前記面の形状に基づいた前記面の位置における法線ベクトルとのなす角度の余弦値を算出する余弦値計算部と、
前記余弦値を視点方向の成分、前記角度の（1−余弦値）または（−１＋余弦値）を前記水平方向座標の成分とするベクトルを計算用法線ベクトルとして算出する法線ベクトル計算部と、
前記計算用法線ベクトルに基づいて、前記照明効果を算出する照明効果計算部と、
を有する画像特殊効果装置。
【請求項２】
請求項１に記載の画像特殊効果装置であって、
前記法線ベクトル計算部は、
前記形状が上面および下面を有するページめくりの形状である場合、前記余弦値計算部によって計算された余弦値、前記垂直方向座標の位置、および前記上面および下面の前記垂直方向の位置ずれ量に基づく上面移動量に基づいて、前記計算用法線ベクトルの前記垂直方向座標の成分を算出する画像特殊効果装置。
【請求項３】
請求項１に記載の画像特殊効果装置であって、
前記視点方向ベクトルと前記法線ベクトルとのなす角度の正弦値を算出する正弦値計算部と、
前記正弦値計算部によって算出される正弦値および前記法線ベクトル計算部によって算出される前記角度の（1−余弦値）、（−１＋余弦値）のうちのいずれかを、前記照明効果計算部による照明効果の算出に利用する前記計算用法線ベクトルの前記水平方向座標の成分として選択する選択部と、
を有する画像特殊効果装置。
【請求項４】
入力された画像に関する画像情報には平面および曲面を有する面において任意の視点から見た場合の光源からの光による照明効果が付加され、前記面に前記画像情報をマッピングさせて得られる映像信号が出力される画像特殊効果方法であって、
前記視点の方向のベクトルを示す視点方向ベクトルと、前記面の水平方向座標および垂直方向座標の位置ならびに前記面の形状に基づいた前記面の位置における法線ベクトルとのなす角度の余弦値が算出されるステップと、
前記余弦値を視点方向の成分、前記角度の（1−余弦値）または（−１＋余弦値）を前記水平方向座標の成分とするベクトルが計算用法線ベクトルとして算出されるステップと、
前記計算用法線ベクトルに基づいて、前記照明効果が算出されるステップと、
を有する画像特殊効果方法。
【発明の詳細な説明】
【技術分野】
【０００１】
本発明は、映像製作等に用いる画像特殊効果装置、画像特殊効果方法に関し、特に、光源と視点の関係を考慮した照明処理を行い、写実的な特殊効果をリアルタイムに表現し、多種類の特殊効果画像に対応できる装置の単純化かつ小型化を図るものである。
【背景技術】
【０００２】
従来の画像特殊効果装置は、図１０に示すように、フレームメモリ１０２と、シーケンシャルなライトアドレス１０５から画像特殊効果用リードアドレス１０８を演算するリードアドレス演算部１０９とを備えている。図１０は従来の画像特殊効果装置のブロック図である。
【０００３】
シーケンシャルなライトアドレス１０５でフレームメモリ１０２に順次書き込んだ入力画像１０１を、画像特殊効果用リードアドレス演算部１０９で演算した画像特殊効果用リードアドレス１０８でフレームメモリ１０２から出力画像１０３を読み出すことにより、ページめくり効果、ボール効果等の各種ビデオエフェクトを画像に施している。
【０００４】
従来の画像特殊効果装置における、ページめくり効果を実現するときの表示画面水平方向の読み出しアドレスの計算方法は、図１１に示すように、シーケンシャルな表示画面水平方向Ｘ１３上の書き込みアドレスｘから、下面平面部１５、下面曲面部１６、上面曲面部１１、上面平面部１２ごとに、次式のように示されるXeffectを計算する。また図１１中のＺ１４は視点方向１４（ｚ軸）、Ｒ２は効果半径２（ｒ）、θｚ４０は視点方向Ｚ１４と法線ベクトルのなす角度を示している。図１１は従来の画像特殊効果装置における水平方向座標計算仕様を説明するための図である。
【０００５】
（下面平面部１５）Xeffect = x
（下面曲面部１６）Xeffect = rθz = r×arcsin ( x / r )
（上面曲面部１１）Xeffect = πr / 2 - rθz = πr / 2 - r×arcsin ( x / r )
（上面平面部１２）Xeffect = πr / 2 − x
【０００６】
表示画面垂直方向の読み出しアドレス計算方法は、図１２に示すように、シーケンシャルな表示画面上垂直方向Ｙ２２上の書き込みアドレスｙから、下面平面部１５、下面曲面部１６、上面曲面部１１、上面平面部１２ごとに、次式のように示されるYeffectを計算する。また、図１２中のＡ３１は上面移動量を示す。図１２は従来の画像特殊効果装置における垂直方向座標計算仕様を説明するための図である。
【０００７】
【数１】
2008040549.tif 000003
【０００８】
尚、Xeffectは、直交座標のシーケンシャルな表示画面水平方向データから、ページめくり効果、ボール効果などの各種ビデオエフェクトを生成するための表示画面水平方向データであり、ページめくり水平方向座標計算の結果である。また、Yeffectは、直交座標のシーケンシャルな表示画面垂直方向データから、ページめくり効果、ボール効果などの各種ビデオエフェクトを生成するための表示画面垂直方向データであり、ページめくり垂直方向座標計算の結果である。Xeffect、Yeffectは、画像特殊効果用リードアドレス１０８に変換される。
【０００９】
また、得られた特殊効果画像に対して照明効果を与えるため、あらかじめ定められた複数の効果面の形状に対応する複数の照明パターンが記憶されたテーブル値を混合することにより、さまざまな形状の効果面に対する照明効果を得られる装置が知られている（例えば、特許文献１参照）。
【００１０】
また、一般的に、鏡面反射の照明効果を実現する場合の計算方法は、光源ベクトルをＬ、効果面の法線ベクトルをＮとすると、反射ベクトルＲは、効果面の形状にかかわらず、
Ｒ＝２（Ｌ・Ｎ）Ｎ−Ｌ・・・・数式１
である。
【特許文献１】特開平０５−１４３７４６号公報
【発明の開示】
【発明が解決しようとする課題】
【００１１】
しかし、上述した従来の特殊効果装置では、さまざまな照明パターンをあらかじめ定めることと、効果面に応じた最適な照明パターンの組み合わせを決めなくてはならない煩わしさがある。さらに、新規に特殊効果機能を追加した場合、実装済みの照明パターンでは最適な組み合わせが見つからない場合もある。
【００１２】
乗算器を多く搭載するＦＰＧＡ（Ｆｉｅｌｄ  Ｐｒｏｇｒａｍｍａｂｌｅ  Ｇａｔｅ  Ａｒｒａｙ）では、さまざまな効果面への照明効果に対応可能な数式１の計算回路を実装することは容易である。
【００１３】
図１３に、表示画面上、右から左にページをめくる効果の場合の法線ベクトルの計算式を示す。図１３は従来の画像特殊効果装置における法線ベクトルを示した図である。図１３から、下面平面部１５、下面曲面部１６、上面曲面部１２、上面平面部１１の法線ベクトルは次式のように表される。
【００１４】
【数２】
2008040549.tif 000004
【００１５】
この場合、図１４に示すように、法線ベクトルの表示画面水平方向成分６が上面平面部１２と上面曲面部１１の接続部分の変化量が不連続になり、法線ベクトルの表示画面水平方向成分６が下面平面部１５と下面曲面部１６の接続部分の変化量が不連続になる。その結果、数式１から得られる照明効果も平面部と曲面部のつなぎ目で不連続となり、不自然な照明効果となってしまうという事情がある。
【００１６】
例えば、上面平面部１２の上面法線ベクトル水平方向成分６は０であるが、上面曲面部１１の上面法線ベクトル水平方向成分６は、x / r ( sinθz) である。また、下面平面部１５の下面法線ベクトル水平方向成分１７は０であるが、下面曲面部１６の下面法線ベクトル水平方向成分１７は、−x / r ( −sinθz) である。図１４は従来の画像特殊効果装置における表示画面水平方向成分法線ベクトル特性を示した図である。
【００１７】
本発明は、上記事情を鑑みてなされたものであって、自然な照明効果を実現し、かつ、小型化できる画像特殊効果装置、画像特殊効果方法を提供することを目的としている。
【課題を解決するための手段】
【００１８】
上記目的を達成するために、本発明の第１の画像特殊効果装置は、入力された画像に関する画像情報には平面および曲面を有する面において任意の視点から見た場合の光源からの光による照明効果が付加され、前記面に前記画像情報をマッピングさせて得られる映像信号を出力する画像特殊効果装置であって、前記視点の方向のベクトルを示す視点方向ベクトルと、前記面の水平方向座標および垂直方向座標の位置ならびに前記面の形状に基づいた前記面の位置における法線ベクトルとのなす角度の余弦値を算出する余弦値計算部と、前記余弦値を視点方向の成分、前記角度の（1−余弦値）または（−１＋余弦値）を前記水平方向座標の成分とするベクトルを計算用法線ベクトルとして算出する法線ベクトル計算部と、前記計算用法線ベクトルに基づいて、前記照明効果を算出する照明効果計算部とを有する構成としている。
【００１９】
この構成により、自然な照明効果を実現し、かつ、装置を小型化できる。例えば、ページめくりの平面部と曲面部の接続部分の法線ベクトルのうち、水平方向成分の変化量を、視点方向成分の計算結果から求めることで、大規模な新規計算回路を追加しなくても、連続とすることができるため、自然な照明効果を実現しつつ、装置を小型化することができる。
【００２０】
また、本発明の第２の画像特殊効果装置は、前記法線ベクトル計算部が、前記形状が上面および下面を有するページめくりの形状である場合、前記余弦値計算部によって計算された余弦値、前記垂直方向座標の位置、および前記上面および下面の前記垂直方向の位置ずれ量に基づく上面移動量に基づいて、前記計算用法線ベクトルの前記垂直方向座標の成分を算出する構成としている。
【００２１】
この構成により、法線ベクトル計算用に計算済みの余弦値をページめくりの垂直座標方向の計算に用いることで、右から左にページをめくる形状変化にて上面と下面が重なることがなく、大規模な新規計算回路を追加しなくても、自然なページめくり効果が得られつつ、装置を小型化することができる。
【００２２】
また、本発明の第３の画像特殊効果装置は、前記視点方向ベクトルと前記法線ベクトルとのなす角度の正弦値を算出する正弦値計算部と、前記正弦値計算部によって算出される正弦値および前記法線ベクトル計算部によって算出される前記角度の（1−余弦値）、（−１＋余弦値）のうちのいずれかを、前記照明効果計算部による照明効果の算出に利用する前記計算用法線ベクトルの前記水平方向座標の成分として選択する選択部と、を有する構成としている。
【００２３】
この構成により、水平方向成分法線ベクトルを切り替えて出力できることで、大規模な新規計算回路を追加せずに、ページめくり効果以外にも、ボール効果用の汎用的な照明効果を計算でき、装置を小型化することができる。
【００２４】
また、本発明の第１の画像特殊効果方法は、入力された画像に関する画像情報には平面および曲面を有する面において任意の視点から見た場合の光源からの光による照明効果が付加され、前記面に前記画像情報をマッピングさせて得られる映像信号が出力される画像特殊効果方法であって、前記視点の方向のベクトルを示す視点方向ベクトルと、前記面の水平方向座標および垂直方向座標の位置ならびに前記面の形状に基づいた前記面の位置における法線ベクトルとのなす角度の余弦値が算出されるステップと、前記余弦値を視点方向の成分、前記角度の（1−余弦値）または（−１＋余弦値）を前記水平方向座標の成分とするベクトルが計算用法線ベクトルとして算出されるステップと、前記計算用法線ベクトルに基づいて、前記照明効果が算出されるステップとを有する方法としている。
【００２５】
この方法により、自然な照明効果を実現し、かつ、装置を小型化できる。例えば、ページめくりの平面部と曲面部の接続部分の法線ベクトルのうち、水平方向成分の変化量を、視点方向成分の計算結果から求めることで、大規模な新規計算回路を追加しなくても、連続とすることができるため、自然な照明効果を実現しつつ、装置を小型化することができる。
【発明の効果】
【００２６】
本発明は、例えばページめくりのような平面と曲面をつなぐ効果面を有する画像特殊効果でも、（１−余弦値）、または（余弦値−１）から計算した表示画面平面成分の法線ベクトルによって、平面と曲面の接続部分が滑らかで、数式１の単純な計算によって自然な照明効果を実現でき、かつ、装置を小型化できる。また、自然で滑らかなシェーディング効果も同様に実現可能である。
【００２７】
また、本発明の画像特殊効果装置は、例えば右から左、または左から右、または上から下、または下から上にページをめくるような形状に変化させ、ページめくり形状の上面、下面が重ならないように、照明処理で計算した（１−余弦値）、（余弦値−１）の計算結果を再利用して定数を乗算し、上面位置を移動することで、上面と下面が重ならないページめくり効果を実現でき、かつ、装置を小型化できる。
【００２８】
また、本発明の画像特殊効果装置は、（１−余弦値）もしくは（余弦値−１）を正弦値に切り替えることで、通常の法線ベクトルを算出でき、様々な画像特殊効果の照明効果に広く対応できる。
【発明を実施するための最良の形態】
【００２９】
以下、本発明の実施形態の画像特殊効果装置について、図面を用いて説明する。
【００３０】
（第１の実施形態）
まず、ページめくり効果における上面の照明効果に関して説明する。
図１は本発明の第１の実施形態における画像特殊効果装置１００の構成を示す図である。画像特殊効果装置１００は、余弦値計算部４および法線ベクトル計算部７を有する。余弦値計算部４は、水平方向座標１(x)（図１中のＸ１）および効果半径２(r)（図１中のＲ２）を入力し、
【数３】
2008040549.tif 000005
により余弦値３(cosθz)を求める。法線ベクトル計算部７は、余弦値計算部４による計算結果である余弦値３(cosθz)を入力し、法線ベクトルの水平方向成分６および法線ベクトルの視点方向成分５を出力する。
【００３１】
ここで、ページめくり効果における上面の照明効果を実現するための法線ベクトルの水平方向成分６をn_vector_x，法線ベクトルの視点方向成分５をn_vector_zとすると、法線ベクトルＮ＝(n_vector_x,0,n_vecotor_z)となる。法線ベクトル計算部７は、n_vector_zとして、入力値と同様の余弦値計算部４による計算である余弦値３(cosθz)を出力する。また、n_vector_xに関しては、法線ベクトル計算部７はn_vector_zの計算結果を利用して、n_vector_x = 1 - cosθzとして計算する。
【００３２】
このとき上面曲面部１１の法線ベクトルＮは、
【数４】
2008040549.tif 000006
となり、上面平面部１２の法線ベクトルNは、
Ｎ＝(0,0,1)
となり、n_vector_xの特性は、図３に示すように、上面曲面部１１と上面平面部１２の接続部分で変化量は連続となる。
【００３３】
ここで、図２は本発明の第１の実施形態における法線ベクトルの詳細説明図であり、上面平面部１２および下面曲面部１１における太線矢印の向きは、法線ベクトルの向きを示している。また、図３は本発明の第１の実施形態における水平方向成分法線ベクトル特性を示した図である。
【００３４】
この結果、図２のようなページめくり効果の上面平面部１２、上面曲面部１１の接続部分における照明効果は、連続的に変化することができるようになり、視覚的にも自然な照明効果を得ることができる。
【００３５】
次に、ページめくり効果における下面の照明効果に関して説明する。
図４は本発明の第１の実施形態における第２の画像特殊効果装置１００Bの構成を示す図である。基本的には図１に示す画像特殊効果装置１００と同様の構成であるが、画像特殊効果装置１００Bは、法線ベクトル計算部７に代わり法線ベクトル計算部７Bを有する。
【００３６】
法線ベクトル計算部７Bは、n_vector_zに関しては、図１と同様に求める。そして下面曲面部１６のn_vector_xに関しては、n_vector_zの計算結果を利用して、n_vector_x = cosθz − 1として計算する。
【００３７】
このとき下面曲面部１６の法線ベクトルＮは、
【数５】
2008040549.tif 000007
下面平面部１５の法線ベクトルNは、
Ｎ＝(0,0,1)
となり、n_vector_xの特性は、図６に示すように、下面曲面部１６と下面平面部１５との接続部分で変化量は連続となる。
【００３８】
ここで、図５は本発明の第１の実施形態における第２の法線ベクトル詳細説明図であり、下面平面部１５および下面曲面部１６における太線矢印の向きは、法線ベクトルの向きを示している。また、図６は本発明の第１の実施形態における第２の水平方向成分法線ベクトル特性を示した図である。
【００３９】
この結果、図５のようなページめくり効果の下面平面部１５、下面曲面部１６の接続部分における照明効果は、連続的に変化することができるようになり、視覚的にも自然な照明効果を得ることができる。
【００４０】
このような本発明の第１の実施形態における画像特殊効果装置１００によれば、入力された画像に関する画像情報には平面および曲面を有する面において任意の視点から見た場合の光源からの光による照明効果が付加され、面に画像情報をマッピングさせて得られる映像信号を出力する画像特殊効果装置１００であって、視点の方向のベクトルを示す視点方向ベクトルと、面の水平方向座標および垂直方向座標の位置ならびに面の形状に基づいた面の位置における法線ベクトルとのなす角度の余弦値を算出する余弦値計算部４と、余弦値を視点方向の成分、角度の（1−余弦値）または（−１＋余弦値）を水平方向座標の成分とするベクトルを計算用法線ベクトルとして算出する法線ベクトル計算部７と、計算用法線ベクトルに基づいて、照明効果を算出する照明効果計算部とを有する構成とすることで、例えばページめくりの平面部と曲面部の接続部分の法線ベクトルＮのうち、水平方向成分の変化量を、視点方向成分の計算結果から求めることで、大規模な新規計算回路を追加しなくても、連続とすることができるため、自然な照明効果を実現しつつ、装置を小型化することができる。
【００４１】
なお、本実施形態では、水平方向にページをめくる効果で説明したが、それ以外の方向でもよく、その際は、法線ベクトルの垂直方向成分も、水平方向成分と同様に考えればよい。
【００４２】
また、本実施形態では、ページめくり効果を題材に説明したが、平面と曲面、曲面と曲面を接続する画像特殊効果でもよい。
【００４３】
（第２の実施形態）
次に、本発明の第２の実施形態における画像特殊効果装置２００について説明する。
図７は、本発明の第２の実施形態における画像特殊効果装置２００の構成を示す図である。画像特殊効果装置２００は、余弦値計算部４、法線ベクトル計算部１８、およびページめくり垂直方向座標計算部１９を有する。尚、ページめくり垂直方向座標計算部１９は法線ベクトル計算部の一部の一例である。
【００４４】
余弦値計算部４は、第１の実施携帯において説明したものと同様である。法線ベクトル計算部１８は、第１の実施形態における法線ベクトル計算部７もしくは法線ベクトル計算部７Bと同様の機能を有する。
【００４５】
ページめくり垂直方向座標計算部１９は、照明処理用法線ベクトル算出のため、余弦値計算部４によって計算した余弦値３(cosθz)、上面および下面の位置ずれ量を示す上面移動量３１(a)（図７中のＡ３１）、および垂直方向座標２０(y)（図７中のＹ２０）を用いて、Yeffectを求めるための計算を実行する。Yeffectを算出するための計算、つまりページめくり垂直方向座標計算部１９が行う計算は、下面平面部１５、下面曲面部１６、上面曲面部１１、上面平面部１２ごとに、次式のように示される。図８は本発明の第２の実施形態におけるページめくり効果垂直方向座標計算仕様を説明するための図である。
【００４６】
（下面平面部１５）Yeffect = y
（下面曲面部１６）Yeffect = y - a { 1 - cosθz }
（上面曲面部１１）Yeffect = y - a { 1 + cosθz }
（上面平面部１２）Yeffect = y - 2a
【００４７】
このような本発明の第２の実施形態における画像特殊効果装置２００によれば、ページめくり垂直方向座標計算部１９が、形状が上面および下面を有するページめくりの形状である場合、余弦値計算部４によって計算された余弦値、垂直方向座標の位置、および上面および下面の垂直方向の位置ずれ量に基づく上面移動量に基づいて、計算用法線ベクトルの垂直方向座標の成分を算出する構成とすることで、法線ベクトル計算用に計算済みのcosθzをページめくりの垂直座標方向の計算に用いることで、例えば右から左にページをめくる形状変化にて上面と下面が重なることがなく、大規模な新規計算回路を追加しなくても、自然なページめくり効果が得られつつ、装置を小型化することができる。
【００４８】
なお、本実施形態では、右から左にページをめくる効果で説明したが、それ以外の左から右、上から下、下から上の方向でもよい。
【００４９】
（第３の実施形態）
次に、本発明の第３の実施形態における画像特殊効果装置３００について説明する。
図９は、本発明の第３の実施形態における画像特殊効果装置３００の構成を示す図である。画像特殊効果装置３００は、正弦値計算部５０、余弦値計算部４B、法線ベクトル計算部１８、セレクタ２５を有する。尚、セレクタ２５は選択部の一例である。
【００５０】
正弦値計算部５０は、水平方向座標１(x)（図９中のＸ１）および効果半径２(r)（図９中のＲ２）を入力し、正弦値２３( sinθz ) = x / rを計算する。余弦値計算部４Bは、正弦値２３( sinθz )を入力し、余弦値計算
【数６】
2008040549.tif 000008
を行い、余弦値３(cosθz)を出力する。法線ベクトル計算部１８は第２の実施形態において説明したものと同様である。
【００５１】
セレクタ２５は、正弦値計算部５０が計算した正弦値２３(sinθz) = x / rと法線ベクトル計算部１８が行った計算結果とを入力し、モード切替信号２４によっていずれか一方を選択し、法線ベクトル水平方向成分６であるn_vector_xとして出力する。セレクタ２５により、右から左にページをめくる効果用の水平方向成分法線ベクトルと、ボール効果用の水平方向成分法線ベクトルを切り替えて、法線ベクトル水平方向成分６として出力することができる。
【００５２】
このような本発明の第３の実施形態における画像特殊効果装置３００によれば、視点方向ベクトルと法線ベクトルとのなす角度の正弦値を算出する正弦値計算部５０と、正弦値計算部５０によって算出される正弦値および法線ベクトル計算部１８によって算出される角度の（1−余弦値）、（−１＋余弦値）のうちのいずれかを、照明効果計算部による照明効果の算出に利用する計算用法線ベクトルの水平方向座標の成分として選択するセレクタ２５とを有する構成とすることで、水平方向成分法線ベクトルを切り替えて出力できることで、大規模な新規計算回路を追加せずに、ページめくり効果以外にも、ボール効果用の汎用的な照明効果を計算でき、装置を小型化することができる。
【００５３】
なお、本実施形態では、右から左にページをめくる効果とボール効果の照明効果を切り替える場合で説明したが、ページめくり効果以外の平面と曲面、曲面と曲面を接続した画像特殊効果から、他の画像特殊効果への切り替えでもよい。
【産業上の利用可能性】
【００５４】
本発明は、小型化した構成により様々な画像特殊効果の照明効果をリアルタイムに処理でき、映像・画像の制作・編集等が行われる各分野において広く利用することができる画像特殊装置等として有用である。
【図面の簡単な説明】
【００５５】
【図１】本発明の第１の実施形態における画像特殊効果装置の構成を示すブロック図
【図２】本発明の第１の実施形態における法線ベクトル詳細説明図
【図３】本発明の第１の実施形態における水平方向成分法線ベクトル特性を示した図
【図４】本発明の第１の実施形態における第２の画像特殊効果装置の構成を示すブロック図
【図５】本発明の第１の実施形態における第２の法線ベクトル詳細説明図
【図６】本発明の第１の実施形態における第２の水平方向成分法線ベクトル特性を示した図
【図７】本発明の第２の実施形態における画像特殊効果装置の構成を示すブロック図
【図８】本発明の第２の実施形態におけるページめくり効果垂直方向座標計算仕様を説明するための図
【図９】本発明の第３の実施形態における画像特殊効果装置の構成を示すブロック図
【図１０】従来の画像特殊効果装置の構成を示すブロック図
【図１１】従来の画像特殊効果装置における水平方向座標計算仕様を説明するための図
【図１２】従来の画像特殊効果装置における垂直方向座標計算仕様を説明するための図
【図１３】従来の画像特殊効果装置における法線ベクトルを示した図
【図１４】従来の画像特殊効果装置における表示画面水平方向成分法線ベクトル特性を示した図
【符号の説明】
【００５６】
１００、１００B、２００、３００  画像効果特殊装置
X１  水平方向座標
R２  効果半径
３  余弦値
４、４B  余弦値計算部
５  法線ベクトル視点方向成分
６  法線ベクトル水平方向成分
７、７B  法線ベクトル計算部
１１  上面曲面部
１２  上面平面部
X１３  表示画面水平方向
Z１４  視点方向
１５  下面平面部
１６  下面曲面部
１８  法線ベクトル計算部
１９  ページめくり垂直方向座標計算部
Y２０  垂直方向座標
Y２２  表示画面垂直方向
２３  正弦値
２４  モード選択信号
２５  セレクタ
A３１  上面移動量
θｚ４０  視点方向と法線ベクトルのなす角度
５０  正弦値計算部
１０１  入力画像
１０２  フレームメモリ
１０３  出力画像
１０５  シーケンシャルなライトアドレス
１０８  画像特殊効果用リードアドレス
１０９  リードアドレス演算部
【図１】
2008040549.tif 000009
【図２】
2008040549.tif 000010
【図３】
2008040549.tif 000011
【図４】
2008040549.tif 000012
【図５】
2008040549.tif 000013
【図６】
2008040549.tif 000014
【図７】
2008040549.tif 000015
【図８】
2008040549.tif 000016
【図９】
2008040549.tif 000017
【図１０】
2008040549.tif 000018
【図１１】
2008040549.tif 000019
【図１２】
2008040549.tif 000020
【図１３】
2008040549.tif 000021
【図１４】
2008040549.tif 000022